【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
ソースデバイスからメディアデータを送信する方法であって、
前記ソースデバイスにより、前記ソースデバイスと車両ヘッドユニットを備えるシンクデバイスとの間の第１の通信セッションを確立することと、ここにおいて、前記第１の通信セッションは通信プロトコルに準拠し、および第１のワイヤレスディスプレイプロトコルに準拠するワイヤレスディスプレイサービスに関連する、
前記ソースデバイスにより、かつ前記第１の通信セッションによって、前記シンクデバイスを発見することと、
前記ソースデバイスにより、かつ前記第１の通信セッションによって、前記シンクデバイスから制御メッセージを受信することと、
前記制御メッセージに応答して、前記ソースデバイスにより第２のワイヤレスディスプレイサービスを実行することと、
前記第１のワイヤレスディスプレイサービスに関連する前記第１の通信セッションの動作中に、前記ソースデバイスにより前記ソースデバイスと前記シンクデバイスとの間の前記第２のワイヤレスディスプレイサービスに関する第２の通信セッションを確立することと、ここにおいて、前記第２のワイヤレスディスプレイサービスは第２のワイヤレスディスプレイプロトコルに準拠する、
前記第２の通信セッションを使用して、メディアデータを、前記シンクデバイスのインターフェースに出力するために前記ソースデバイスから前記シンクデバイスに送信することと
を備える方法。
【請求項２】
前記メディアデータを、前記シンクデバイスのインターフェースに出力するために前記ソースデバイスから前記シンクデバイスに送信することは、前記メディアデータを、前記ソースデバイスによって実行される前記ワイヤレスディスプレイサービスから前記シンクデバイスに送信することを備える、請求項１に記載の方法。
【請求項３】
前記ソースデバイスから前記シンクデバイスに、実行のための１つまたは複数のアプリケーションをユーザに提示するユーザインターフェースを定義するデータを送信すること
をさらに備え、
ここにおいて、前記制御メッセージは、前記ユーザが実行のための前記１つまたは複数のアプリケーションのうちの第１のものを選択したことを示す、
前記メディアデータを、前記シンクデバイスのインターフェースに出力するために前記ソースデバイスから前記シンクデバイスに送信することは、前記メディアデータを、前記制御メッセージに応答して送信することを備える、請求項１に記載の方法。
【請求項４】
前記車両ヘッドユニットは、前記車両ヘッドユニットを含む車両のドライバにとって実質的にアクセス可能である前部コンソールと、前記ドライバにとって実質的にアクセス不可能である後部コンソールとを備え、前記方法は、
前記メディアデータを、前記メディアデータの特性に従って前記前部コンソールまたは前記後部コンソールのうちの１つに出力するために前記シンクデバイスに送信することをさらに備える、請求項１に記載の方法。
【請求項５】
前記車両が動いているときに、前記メディアデータを前記後部コンソールにのみ送信することをさらに備える、請求項４に記載の方法。
【請求項６】
前記シンクデバイスにリアルタイムストリーミングプロトコル（ＲＴＳＰ）メッセージを送ることと、ここにおいて、前記ＲＴＳＰメッセージはユーザデータグラムプロトコル（ＵＤＰ）ポートを識別する、
前記識別されたＵＤＰポートにおいて前記第２の通信セッションのためのコマンドを受信することと
をさらに備える、請求項１に記載の方法。
【請求項７】
前記第２の通信セッションによって前記シンクデバイスからユーザ入力メッセージを受信することと、ここにおいて、前記ユーザ入力メッセージは、ワイヤレスディスプレイ規格に従って定義されたメッセージに少なくとも部分的に基づいており、前記メッセージがＡＳＣＩＩキーコードを含むか、それとも３２ビットの２進キーを含むかを示すフィールドを含む、
前記ユーザ入力メッセージに従ってメディアデータの前記送信を調節することと
をさらに備える、請求項１に記載の方法。
【請求項８】
車両ヘッドユニットを備えるシンクデバイスによりメディアデータを受信する方法であって、
前記シンクデバイスにより、前記シンクデバイスとソースデバイスとの間の第１の通信セッションを確立することと、ここにおいて、前記第１の通信セッションは通信プロトコルに準拠し、および第１のワイヤレスディスプレイプロトコルに準拠するワイヤレスディスプレイサービスに関連する、
前記シンクデバイスにより、かつ前記第１の通信セッションによって、前記ソースデバイスを発見することと、
前記シンクデバイスにより、かつ前記第１の通信セッションによって、第２のワイヤレスディスプレイサービスを実行するために前記ソースデバイスへ制御メッセージを送ることと、
前記第１のワイヤレスディスプレイサービスに関連する前記第１の通信セッションの動作中に、前記シンクデバイスにより前記ソースデバイスと前記シンクデバイスとの間の前記第２のワイヤレスディスプレイサービスに関する第２の通信セッションを確立することと、ここにおいて、前記第２のワイヤレスディスプレイサービスは第２のワイヤレスディスプレイプロトコルに準拠する、
前記シンクデバイスにより前記第２の通信セッションを使用して、前記ソースデバイスからメディアデータを受信することと、
前記シンクデバイスのインターフェースに前記メディアデータをレンダリングすることと
を備える方法。
【請求項９】
前記ソースデバイスから前記メディアデータを受信することは、前記第２のワイヤレスディスプレイサービスから前記メディアデータを受信することを備える、請求項８に記載の方法。
【請求項１０】
前記シンクデバイスにより、かつ前記第１の通信セッションによって、実行のための１つまたは複数のアプリケーションをユーザに提示するユーザインターフェースを定義するデータを受信すること
をさらに備え、
ここにおいて、前記制御メッセージは、前記ユーザが実行のための前記１つまたは複数のアプリケーションのうちの第１のものを選択したことを示す、
請求項８に記載の方法。
【請求項１１】
前記第１のワイヤレスディスプレイサービスはＭｉｒｒｏｒＬｉｎｋを備える、請求項１または８に記載の方法。
【請求項１２】
前記第２のワイヤレスディスプレイサービスはＷｉ−Ｆｉディスプレイを備える、請求項１または８に記載の方法。
【請求項１３】
ソースデバイスであって、
車両ヘッドユニットを備えるシンクデバイスとの第１の通信セッションを確立するための手段と、ここにおいて、前記第１の通信セッションは通信プロトコルに準拠し、および第１のワイヤレスディスプレイプロトコルに準拠するワイヤレスディスプレイサービスに関連する、
前記第１の通信セッションによって、前記シンクデバイスを発見するための手段と、
前記ソースデバイスにより、かつ前記第１の通信セッションによって、前記シンクデバイスから制御メッセージを受信するための手段と、
前記制御メッセージに応答して、前記ソースデバイスにより第２のワイヤレスディスプレイサービスを実行するための手段と、
前記第１のワイヤレスディスプレイサービスに関連する前記第１の通信セッションの動作中に、前記シンクデバイスとの前記第２のワイヤレスディスプレイサービスに関する第２の通信セッションを確立するための手段と、ここにおいて、前記第２のワイヤレスディスプレイサービスに関する前記第２の通信セッションは第２のワイヤレスディスプレイプロトコルに準拠する、
前記第２の通信セッションを使用して、メディアデータを、前記シンクデバイスのインターフェースに出力するために前記シンクデバイスに送信するための手段と
を備えるソースデバイス。
【請求項１４】
シンクデバイスであって、
ソースデバイスとの第１の通信セッションを確立するための手段と、ここにおいて、前記第１の通信セッションは通信プロトコルに準拠し、および第１のワイヤレスディスプレイプロトコルに準拠するワイヤレスディスプレイサービスに関連する、
前記第１の通信セッションによって、前記ソースデバイスを発見するための手段と、
前記シンクデバイスにより、かつ前記第１の通信セッションによって、第２のワイヤレスディスプレイサービスを実行するために前記ソースデバイスへ制御メッセージを送るための手段と、
前記第１のワイヤレスディスプレイサービスに関連する前記第１の通信セッションの動作中に、前記ソースデバイスとの前記第２のワイヤレスディスプレイサービスに関する第２の通信セッションを確立するための手段と、ここにおいて、前記第２のワイヤレスディスプレイサービスは第２のワイヤレスディスプレイプロトコルに準拠する、
前記第２の通信セッションを使用して、前記ソースデバイスからメディアデータを受信するための手段と、
インターフェースに前記メディアデータをレンダリングするための手段と
を備えるシンクデバイス。
【請求項１５】
実行されたとき、１つまたは複数のプロセッサに、請求項１から請求項１２のうちの何れかのステップを実行させる命令を記憶したコンピュータ可読記憶媒体。